(57)【要約】【課題】汗によって誤作動を起こすことなく、抜針による出血を確実に検知することができる人工透析用水分センサの提供。【解決手段】この水分センサ１１は、電極シート１５と、これに積層されたフィルターシート１６と、さらにこれに積層された通水性シート１７とを備える。電極シート１５は、ベースシート１８を有する。ベースシート１８は三層構造を有し、下側シート２４、補強シート２２及び上側シート２３を有する。補強シート２２は、多数の微細孔を有し、水蒸気を通過させる通気性を備えるが水滴の通過を阻止する防水性をも備える。【選択図】図３
2007151624.tif 000002
【特許請求の範囲】
【請求項１】
通気性を有するベースシート及び当該ベースシートに配置された一対の電極を備え、乾燥状態で絶縁性を呈すると共に水分を含んだ状態で導電性を呈する電極シートと、
電極シートに重ね合わされ、多数の小孔が穿設された撥水性を有するフィルタシートと、
フィルタシートに重ね合わされた一定の保水性を備えた通水性シートとを備えた水分センサ。
【請求項２】
上記ベースシートは、炭酸カルシウムが混成されることにより通気性且つ防水性を呈する多数の微細工が貫通形成されたポリエチレンフィルムを備えている請求項１に記載の水分センサ。
【請求項３】
上記電極シートと上記通水性シートとを接着する接着層が上記フィルターシートを兼ねている請求項１または２に記載の水分センサ。
【請求項４】
上記電極シート、フィルターシート及び通水性シートを包む包装用袋体がさらに備えられており、
当該袋体は、通気性を有する本体シートと、本体シートの内側に積層された一定の保水性を備えた通水性シートとを有する請求項１から３のいずれかに記載の水分センサ。
【請求項５】
上記包装用袋体は、上記電極シート、フィルターシート及び通水性シートを内側に包み込むように周縁部が接着されている請求項４に記載の水分センサ。
【請求項６】
通気性を有するベースシート及び当該ベースシートに配置された一対の電極を備え、乾燥状態で絶縁性を呈すると共に水分を含んだ状態で導電性を呈する電極シートと、
電極シートに重ね合わされ、多数の小孔が穿設された撥水性を有するフィルタシートと、
フィルタシートに重ね合わされた一定の保水性を備えた通水性シートとを備えた水分センサに適用される包装用袋体であって、
通気性を有する本体シートと、本体シートの内側に積層された一定の保水性を備えた通水性シートとを有する包装用袋体。
【請求項７】
上記電極シート、フィルターシート及び通水性シートを内側に包み込むように周縁部が接着されている請求項６に記載の包装用袋体。
【発明の詳細な説明】
【技術分野】
【０００１】
本発明は、水分を検知するセンサ、特に、人工透析処置における血液の漏れを検知するためのセンサの構造に関するものである。
【背景技術】
【０００２】
従来から例えば成人用オムツの交換時期を報知する装置が提案されている（例えば、特許文献１参照）。この水分検知装置は、一対の電極を備えたセンサーシートを備えており、各電極間に所定の低電圧が印加されている。そして、比較的多量の水分（尿）がセンサーシートに付着することによって上記電極間に流れる電流が変動し、これにより、成人用オムツの交換時期が報知されるようになっている。このセンサーシートでは、乾燥状態で上記電極間の導電率がきわめて小さくなるが吸水時に導電率が高められる塩入り接着剤が用いられている。この塩入り接着剤が使用されることにより、センサーシートは、水分の存在により電気的に導通する水分検知スイッチとして構成される。そして、この水分検知スイッチがオンになると、ブザーその他の報知手段により水分の存在、すなわち成人用オムツの交換時期が報知されるようになっている。
【０００３】
上記センサーシートは、医療現場における血液透析治療においても使用される。従来、この治療においては、透析液の濃度異常等を検出する透析監視装置が使用されるが、治療中の抜針が原因となる出血の有無は、医療関係者のチェックに委ねられていた。抜針事故の原因は、患者の意識障害、かゆみ、肩腰痛等による体動、治療中の昏睡等さまざまであり、出血の危険が回避されるためには、例えば看護師による巡回見回りが繰り返し必要となる。人工透析中の出血は、確実に防止されなければならないが、そもそも人間の注意力に頼る方法には限界がある。そのため、人工透析中における血液の漏れをより正確に検知することができる水分検知装置が提案されている（例えば、特許文献２参照）。
【０００４】
図１２は、人工透析治療に使用される従来の水分検知装置が示された概念図である。図１３は、この水分検知装置の検知部である水分センサの部分拡大断面図である。
【０００５】
水分検知装置１に採用されている水分センサ２は、吸水材５を備えている。この吸水材５は、乾燥状態で電気絶縁性を示す吸水性を備えた上敷３及び下敷４の各１枚を有する。電気抵抗素子６を含む電極７が下敷４と上敷３との間に挟まれている。下敷４と上敷３との間に、吸水時に導電率を高める導電性接着剤８が介在されている。この水分センサ２では、上記電気抵抗素子６の抵抗値は、例えば２０KΩ程度に設定されている。そして、上記導電性接着剤８が使用されていることから、比較的多量の水分（抜針による出血）が存在する場合には、電極７間の導電率が高められる。具体的には、上記抵抗値は、上記電極７間が通電されることによって数ＫΩまで低下するように設定されている。
【０００６】
このように、従来の水分センサ２では、水分が存在しない場合であっても電極７間が完全に絶縁されていないので、検知装置４１の接触不良その他の不具合の有無が確認されると共に、少量の水分（例えば治療中に発する汗）は検知されにくく抜針による出血が確実に検知され得る。
【０００７】
【特許文献１】特開２００２−５５０７４公報
【特許文献２】特開２００４−１７７１２０公報
【発明の開示】
【発明が解決しようとする課題】
【０００８】
しかし、人の体質は非常に多様であり、汗の中の塩分濃度も０．３質量％から１．７質量％程度のバラツキがある。さらに人の発汗する汗の量も少ない人から異常に多い人まである。上記水分センサ２が例えば腕に巻き付けられて用いられたときに、長時間経過すると、上記下敷４に汗が多量に溜まってしまうことがある。このような場合には、当該汗によって上記電極７間が導通され、水分検知装置１が誤作動を起こすという問題があった。
【０００９】
また、この水分センサ２は人工透析治療に際し使用されるものであるから、新品の状態において確実に滅菌されている必要がある。したがって、従来では、水分センサの製造工程において、上記水分センサ２が滅菌袋に収容された後に当該滅菌袋に滅菌ガスが封入されていた。ところが、この滅菌工程では、滅菌ガスが滅菌袋に供給された後に当該滅菌袋が封止されなければならず、完全な滅菌の実現は困難であった。そのため、滅菌ガスの封入作業が滅菌された空間内で行われる必要があり、その結果、水分センサの製造コストが上昇するという問題もあった。
【００１０】
そこで、本発明の第１の目的は、汗によって誤作動を起こすことなく、抜針による出血を確実に検知することができる人工透析用の水分センサを提供することである。また、本発明の第２の目的は、滅菌作業を簡単且つ確実にしかも安価に行うことができる水分センサを提供することである。
【課題を解決するための手段】
【００１１】
(1) 上記第１の目的が達成されるため、本発明に係る水分センサは、通気性を有するベースシート及び当該ベースシートに配置された一対の電極を備え、乾燥状態で絶縁性を呈すると共に水分を含んだ状態で導電性を呈する電極シートと、電極シートに重ね合わされ、多数の小孔が穿設された撥水性を有するフィルタシートと、フィルタシートに重ね合わされた一定の保水性を備えた通水性シートとを備えている。
【００１２】
この水分センサは、人工透析治療において患者の腕の下に敷かれ、患者の腕は、上記通水性シートの上に配置される。治療中に仮に抜針により患者の腕から出血した場合は、当該血液が上記通水性シートによって一旦保持されるが、一定量以上の出血があった場合は、当該血液が電極シートを濡らし、上記電極間が導通される。この電極間の導通を所定の入力として、例えば出血報知装置が作動される。
【００１３】
また、透析治療が長時間にわたった場合、患者の腕が発汗し、患者の体質によって多量の汗が出ることも考えられる。しかし、患者の腕は、上記通気性シート上に配置され、上記フィルターシートが多数の小孔を有し、さらに、上記電極シートを構成するベースシートが通気性を有することから、上記汗は水蒸気となって水分センサを通過するので、上記汗が電極シートに溜まることはない。
【００１４】
(2) 上記ベースシートは、炭酸カルシウムが混成されることにより通気性且つ防水性を呈する多数の微細工が貫通形成されたポリエチレンフィルムを備えているのが好ましい。
【００１５】
上記ベースシートの主体がポリエチレンからなるので、水分センサの製造コストが大幅に上昇することはない。
【００１６】
(3) 上記電極シートと上記通水性シートとを接着する接着層が上記フィルターシートを兼ねているのが好ましい。
【００１７】
これにより、水分センサの構造が簡略化され、一層製造コストが削減されるという利点がある。
【００１８】
(4) 上記第２の目的が達成されるため、本発明に係る水分センサは、上記電極シート、フィルターシート及び通水性シートを包む包装用袋体がさらに備えられているのが好ましい。当該包装用袋体は、通気性を有する本体シートと、本体シートの内側に積層された一定の保水性を備えた通水性シートとを有するのが好ましい。
【００１９】
上記電極シート、フィルターシート及び通水性シートは、包装用袋体に包まれる。この包装用袋体は通気性を備えているから、上記電極シート、フィルターシート及び通水性シートは、この包装用袋体に包まれた状態で滅菌され得る。なぜなら、包装用袋体の外部から滅菌ガスが供給されることにより、当該滅菌ガスは包装用袋体の内部に進入し、上記電極シート、フィルターシート及び通水性シートに対して滅菌作用を及ぼすことができるからである。すなわち、上記電極シート、フィルターシート及び通水性シートは、包装用袋体に密封包装された状態で滅菌され得る。
【００２０】
水分センサが上記包装用袋体を備えていることから、当該水分センサが使用されるとき、すなわち、人工透析治療が開始されるにあたって上記包装用袋体が開封されたときは、当該包装用袋体は、人工透析用注射針が患者の腕に刺される際のナプキンとして機能し得る。すなわち、上記包装用袋体が開封された後に、患者は、その腕を当該開封された包装用袋体の上に載置する。人工透析用注射針が患者の腕に刺される際に血液が漏れる可能性があるが、その場合であっても、上記包装用袋体の内側に上記通水性シートが積層されていることから、漏れた血液は、上記包装用袋体の通水性シートに吸収される。これにより、人工透析用注射針が患者の腕に刺される際に漏れた血液によって、上記電極シート等が濡れてしまうことが防止される。
【００２１】
(5) 上記包装用袋体は、上記電極シート、フィルターシート及び通水性シートを内側に包み込むように周縁部が接着されているのが好ましい。
【００２２】
この構成では、包装用袋体は、略二つ折り状態とされることによって上記電極シート、フィルターシート及び通水性シートを包み込むことができる。しかも、このときに、包装用袋体の周縁部が接着されているだけであるから、当該周縁部が離反されることによって包装用袋体が簡単に展開される。したがって、人工透析治療が開始されるにあたって包装用袋体が簡単且つ迅速に開封され得る。
【００２３】
(6) また、上記第２の目的が達成されるため、本発明に係る包装用袋体は、通気性を有するベースシート及び当該ベースシートに配置された一対の電極を備え、乾燥状態で絶縁性を呈すると共に水分を含んだ状態で導電性を呈する電極シートと、電極シートに重ね合わされ、多数の小孔が穿設された撥水性を有するフィルタシートと、フィルタシートに重ね合わされた一定の保水性を備えた通水性シートとを備えた水分センサに適用される包装用袋体であって、通気性を有する本体シートと、本体シートの内側に積層された一定の保水性を備えた通水性シートとを有する。
【００２４】
この包装用袋体は、上記電極シート、フィルターシート及び通水性シートを内側に包み込むことができる。この包装用袋体は通気性を備えているから、上記電極シート、フィルターシート及び通水性シートは、この包装用袋体に包まれた状態で滅菌され得る。なぜなら、包装用袋体の外部から滅菌ガスが供給されることにより、当該滅菌ガスは包装用袋体の内部に進入し、上記電極シート、フィルターシート及び通水性シートに対して滅菌作用を及ぼすことができるからである。すなわち、上記電極シート、フィルターシート及び通水性シートは、包装用袋体に密封包装された状態で滅菌され得る。
【００２５】
水分センサが上記包装用袋体を備えていることから、当該水分センサが使用されるとき、すなわち、人工透析治療が開始されるにあたって上記包装用袋体が開封されたときは、当該包装用袋体は、人工透析用注射針が患者の腕に刺される際のナプキンとして機能し得る。すなわち、上記包装用袋体が開封された後に、患者は、その腕を当該開封された包装用袋体の上に載置する。人工透析用注射針が患者の腕に刺される際に血液が漏れる可能性があるが、その場合であっても、上記包装用袋体の内側に上記通水性シートが積層されていることから、漏れた血液は、上記包装用袋体の通水性シートに吸収される。これにより、人工透析用注射針が患者の腕に刺される際に漏れた血液によって、上記電極シート等が濡れてしまうことが防止される。
【００２６】
(7) 上記電極シート、フィルターシート及び通水性シートを内側に包み込むように周縁部が接着されているのが好ましい。
【００２７】
この構成では、包装用袋体は、略二つ折り状態とされることによって上記電極シート、フィルターシート及び通水性シートを包み込むことができる。しかも、このときに、包装用袋体の周縁部が接着されているだけであるから、当該周縁部が離反されることによって包装用袋体が簡単に展開される。したがって、人工透析治療が開始されるにあたって包装用袋体が簡単且つ迅速に開封され得る。
【発明の効果】
【００２８】
本発明によれば、人工透析中に患者の腕から汗が出た場合であっても、この汗は水蒸気の状態のまま水分センサを通過するので、当該汗が原因となる水分センサの誤作動が確実に防止される。また、本発明によれば、包装用袋体が設けられることにより、水分センサの滅菌が簡単且つ確実にしかも安価に行われる。加えて、人工透析用注射針が患者の腕に刺される際に、万一血液が漏れた場合であっても、当該血液が包装用袋体に吸収されるから、当該血液によって新品の水分センサの電極シート等が濡れてしまうことが防止される。
【発明を実施するための最良の形態】
【００２９】
以下、適宜図面が参照されつつ、好ましい実施形態に基づいて本発明が詳細に説明される。
【００３０】
＜第１の実施形態＞
【００３１】
図１は、本発明の第１の実施形態に係る水分検知装置の斜視図である。
【００３２】
この水分検知装置１０は、主として人工透析治療において患者からの出血を監視する。この水分検知装置１０は、水分センサ１１を備えている。患者は、腕をこの水分センサ１１上に載置し、万一血液が漏れた場合には、これを水分センサ１１が検知する。水分センサ１１は、表示部１２を備えた報知装置１３の検知部として構成されており、コネクタ１４を介して報知装置１３と連結されている。
【００３３】
図２は、図１のII−II断面図であって、水分センサ１１の断面構造が図示されている。また、図３は、水分センサ１１の分解斜視図である。図３において上方が、この水分センサ１１が用いられる状態で患者の腕が載置される側である。
【００３４】
図３が示すように、水分センサ１１は、電極シート１５と、フィルターシート１６と、通水性シート１７とを備えている。この通水性シート１７は、透水性及び一定の保水性を備えている。電極シート１５は、乾燥状態で絶縁性を呈すると共に水分を含んだ状態で導電性を呈するように形成されている。この電極シート１５は、ベースシート１８と、このベースシート１８に配置された一対の電極１９（１９ａ、１９ｂ）とを備えている。電極シート１５は、電極シート１５に水分が含まれたときに導電率が高められるように親水性が高く電解質物質を含んでいる。
【００３５】
電極シート１５のベースシート１８を構成する材料は、特に限定されるものではない。要するに、ベースシート１８は、電極１９が安定して支持され、小さな力で容易に破れることなく、空気中の水分を自己吸湿して膨潤又は溶解することがない耐水性を具備していればよい。このベースシート１８は、上敷ベースシート２０と下敷ベースシート２１とからなる。上敷ベースシート２０は、患者の血液が先に接する側に位置し、下敷ベースシート２１は、電極１９を下から支持する側に位置する。
【００３６】
電極１９を配設するためのベースシート１８は、乾燥状態において電気的に略絶縁性を呈する。また、ベースシート１８は、親水性を有し柔軟性のあるものが好ましい。ベースシート１８の材質としては、ポリエチレン、ポリプロピレン、ナイロン、ポリエチレンテレフタレート、ポリカーボネート、ポリ塩化ビニル、ポリ塩化ビニデン、ポリイミド、シリコーンゴム、シリコーン樹脂、布、紙等の材料が採用され得る。特に、ベースシート１８の材料として、親水性であるセルロース繊維からなる紙、布、不織布等が好ましく用いられる。本実施形態では、ベースシート１８は、和紙からなる。和紙は、丈夫で薄く親水性を備えており、環境にも優しいからである。
【００３７】
本実施形態に係る下敷ベースシート２１は三層構造を有し、補強シート２２と、上側シート２３及び下側シート２４とを備えている。補強シート２２を挟んでベースシート１８の表面側に上側シート２３が配置され、裏面側に下側シート２４が配置されている。これら上側シート２３、下側シート２４及び補強シート２２は、一体的に形成されている。この下敷ベースシート２１は、後述のように電極１９が印刷される場合にも柔軟性を維持しつつ、しわにならず安定している。
【００３８】
図４は、補強シート２２の断面構造を示す模式図である。
【００３９】
補強シート２２は、基布２５と、基布２５の上方に積層された不織布２６とを有する。同図において上側が上記電極１９が存在する側であって、この水分センサ１０において患者が腕を載置する側である。補強シート２２は、通気性を備えている。上記基布２５は、シート状のポリエチレンを主体として構成され、これに炭酸カルシウムが混成されている。この炭酸カルシウムの粒子が混入されることによって、シート状のポリエチレンに多数の微細孔２７が貫通形成されている。この微細孔２７の直径は、１μｍ〜１００μｍ程度に設定されている。また、上記不織布２６は、パルプ繊維が不規則に絡み合うことにより構成されており、十分な通気性を有する。したがって、水蒸気は上記不織布２６及び基布２５を通過することができるが、水滴は基布２５を通過することができず、このため、前述のように当該補強シート２２が通気性を呈する。補強シート２２の厚み寸法は、特に限定されるものではない。基布２５を構成する材料は、上記ポリエチレンに代えてポリエステル、ポリプロピレン、ポリ塩化ビニル等の樹脂フィルムが用いられ得る。これらの材料が採用されることによって、補強シート２２は、比較的剛性が高く、且つ柔軟性も備えることができるからである。なお、上記不織布２６は、省略されていてもよい。
【００４０】
この下敷ベースシート２１が前述のような積層構造を備えているから、後述のように電極１９を取り付ける作業が容易になる。本実施形態では、上側シート２３及び下側シート２４は、和紙からなる。もっとも、上側シート２３及び下側シート２４が他の材料から構成されていてもよい。上側シート２３と下側シート２４とは、接着剤により固着されている。この接着剤は、上記補強シート２２の上下面に塗布され、この補強シート２２に対して上側シート２３及び下側シート２４が張り付けられる。これにより、これらの密着性が確保されている。
【００４１】
なお、ベースシート１８の大きさは、水分検知の用途により適宜決定され得る。例えば、水分センサ１１が人工透析治療に使用される場合には、ベースシート１８の大きさは、普通紙のＡ４版程度のものが標準的である。ベースシート１８の厚さは、０．５ｍｍ以上３ｍｍ以下に設定され得る。ベースシート１８の厚さがこの程度であれば、ベースシート１８の柔軟性が確保され、取り扱いに便利だからである。もっとも、ベースシート１８の厚みは、電極１９、ベースシート１８の材質及び積層構造によって異なる。このベースシート１８は、全体として親水性を呈するように形成される。
【００４２】
電極シート１５は、ベースシート１８に上記一対の電極１９ａ、１９ｂが配置されることにより構成される。具体的には、ベースシート１８に所定の電解質溶液が浸透乾燥され、その後に、上記上側シート２３上に上記一対の電極１９ａ、１９ｂが平行に並べられ、さらに、上記上敷ベースシート２０によって挟み込まれることにより形成される。あるいは、電極シート１５は、上記一対の電極１９ａ、１９ｂが平行に並べられ、上記上側シート２３と上敷ベースシート２０との間に挟み込まれた後に、当該ベースシート１８に所定の電解質溶液が浸透され、乾燥されることにより形成されてもよい。
【００４３】
この電解質溶液は、後述されるように親水性ポリマを含むことが好ましい。上記電解質溶液の電解質としては、食塩、塩化カリウム、硝酸ナトリウム等の無機塩類、アンモニウム塩 、脂肪酸のアルカリ金属塩又はグルタミン酸のアルカリ金属塩が例示される。これらの塩は、水に溶けてイオン化するので導電性を呈する。これらの電解質のなかでも、特に食塩が好ましい。食塩は、強電解質であり、温度による溶解度の違いが少なく、安価で安定した導電率が得られるからである。この食塩は、１０質量％以上２１質量％以下の水溶性液とされることがより好ましい。
【００４４】
ところで、一般に電極シート１５に水分が含まれた場合において、仮に少量の水分が電極１９の局部間のみを導通させてしまうとすれば、水分センサ１０として誤検知が発生する可能性がある。例えば、水分センサ１０が人工透析治療における血液の漏れを検知するセンサとして使用される場合に、患者の腕からの少量の発汗に起因して直ちに電極１９間が導通されるならば、血液の漏れを監視する装置としては誤作動を起こすことになる。したがって、人工透析治療における出血を正確に検知するためには、一定量の、例えば５ｃｃないし１０ｃｃ程度の水分（血液）が電極シート１５に比較的広範囲に拡散された状態で電極１９間が導通されることが必要である。本実施形態では、電極シート１５に上記親水性ポリマが含まれた電解質溶液が使用されているので、一定量の出血があったことを条件に、上記電極１９間が導通される。その結果、水分センサ１０の誤検知が確実に防止される。
【００４５】
さらに、上記親水性ポリマーを含む電解質溶液が使用されているので、電極シート１５が水分を吸収すると、当該電極シート１５が均一に濡れやすい。また、水分が乾燥すると、電極シート１５において上記電極１９間が電気的に略絶縁状態となる。この親水性ポリマは水溶性であることが好ましい。親水性ポリマーとしては、セルロース、澱粉、ペクチン等が挙げられる。特に、米澱粉、小麦澱粉、馬鈴薯澱粉、コーンスターチ等の澱粉が好ましい。これらは、接着剤としても機能するからである。
【００４６】
この澱粉のなかでも、粘着度が高い点から馬鈴薯澱粉がより好ましく用いられる。電解質を含む水溶性接着剤２８（図２及び図３参照）としては、具体的には、例えば馬鈴薯１質量％以上５質量％以下、食塩１５質量％以上２１質量％以下及び水が７４質量％以上８４質量％以下程度からなる糊がより好適である。この食塩の量は、常温で水に溶解しうる飽和溶解度付近の量でもよい。この糊は、材料である水、食塩及び馬鈴薯澱粉を加えて混合され、加熱しながら撹拌される。この撹拌生成物が均一な粘稠性を呈したら冷却されて導電性の糊になる。
【００４７】
電極１９が別部材として形成され、ベースシート１８に挟み込まれる場合には、電極１９は例えば、厚みが０．３ｍｍ以下で柔軟な細い導電線が所定の間隔で平行に配線されてもよい。電極１９は、フィルム状に形成され、可撓性を有するものが好ましい。電極１９は、導電性の糸や細径の金属線によって形成されてもよい。導電性の糸としては、金属繊維をよりあわせたものも含む。例えばベースシート１８が織布、不織布等からなる場合は、電極１９がベースシート１８に直接縫い込まれていてもよい。その他、電極１９は、薄く延ばされたテープ状の導電板、例えばアルミ箔等により構成されていてもよい。
【００４８】
電極シート１５は、具体的に次のようにして形成される。図３が示すように、下敷ベースシート２１の上に電極１９が配線される。その後、上敷き部材として用いる上敷ベースシート２０が下敷ベースシート２１の上に被せられる。このとき、上記導電性接着剤２４が用いられ、電極１９は、下敷ベースシート２１と上敷ベースシート２０とに確実に密着される。これにより、水分センサ１１の安定した作動が実現される。この導電性接着剤２４にポリマー成分が含まれているから、電極シート１５に吸収される水の量に比例して一対の電極１９ａ、１９ｂ間が湿らされ、電極シート１５に吸収された水が一定の量に達したときに電極１９間が導通される。電極１９間が導通されることによって、電極１９ａ、電極１９ｂ間の導電率が急激に低下する。したがって、水分センサ１１は、血液の存在（治療中における出血の有無）を確実に検知することができる。
【００４９】
上記導電性接着剤２４は、親水性シートである上敷ベースシート２０に塗布され又は浸透させられている。上敷ベースシート２０、電極１９及び下敷ベースシート２１が一体化されるために、上敷ベースシート２０は、その電極１９に面する側の表面が上記導電性接着剤２４で被覆されていることが好ましい。上敷ベースシート２０の下側面の全体に上記導電性接着剤２４が塗布され、電極１９が取り付けられた下敷ベースシート２１に貼り合わされることにより、上敷ベースシート２０、電極１９及びベースシート１８が一体化されやすい。さらに具体的には、上記導電性接着剤２４がほぼ飽和量の食塩入り澱粉糊として構成され、これが上敷ベースシート２０に吹きつけられ又は塗布されているのが好ましい。そして、この上敷ベースシート２０が下敷ベースシート２１に貼り付けられる。
【００５０】
本実施形態では、電極１９は、ベースシート１８に印刷されている。この印刷の際に導電性インク２５が用いられている。電極１９を構成する導電性インク２５としては、導電性金属ペーストが好適である。導電性金属ペーストとしては、金、銀、白金、パラジウム、銅等の微粒子がバインダー樹脂に分散され、ペースト化されて作成される。この導電性金属ペーストが上記ベースシート１８に印刷される。このため、ベースシート１８は、和紙、ポリイミド等の耐熱性を備えた材料から構成されているのが好ましい。図１及び図３が示すように、電極１９ａ、電極１９ｂは、等間隔で並行している。これら電極１９ａ、１９ｂの端部は、同じ金属ペーストからなる電極端子３０を構成している。電極１９ａ、１９ｂは、ベースシート１８のほぼ全面に均一に配置されるように蛇行されている。このように、電極１９が導電性インク２５により印刷されることにより構成されているから、構造上均一な電極シート１５が容易に製造され得る。
【００５１】
上記金属ペーストの金属粒子が超微粒子で均一に分散されているならば、電極１９は、およそ１２０℃から２４０°Ｃ程度の温度で焼成される。これにより、電極１９は、ベースシート１８を傷めることなくベースシート１８上に印刷形成されることができる。図３が示すように、本実施形態では、ベースシート１８に銀ペーストからなる電極１９が印刷されている。印刷される電極１９の幅寸法は、約２ｍｍに設定されている。
【００５２】
また、本実施形態では、一対の電極１９ａ、１９ｂ間に架け渡すように電気抵抗素子３１が設けられている。これにより、電極１９ａ、１９ｂ間が電気的に接続される。この電気抵抗素子３１が配置されることにより、電極シート１５に水分が含まれていないときであっても電極１９ａ、１９ｂ間が通電される。この電気抵抗素子２７については、後に詳述されるが、この電気抵抗素子３１によって電極１９ａ、１９ｂ間が導通されることにより、水分センサ１１が作動可能状態（電極１９に断線等が発生していないこと）が、高い電圧の印加を必要とすることなく容易に確認され得る。
【００５３】
上記電気抵抗素子２７の抵抗値は通常、２０ｋΩから５０ＫΩ程度に設定される。このため、電極シート１５が乾燥状態にあるときは、電極１９ａ、１９ｂ間の電気抵抗がきわめて大きく、電極シート１５に水分が存在するときは、電極１９ａ、１９ｂ間の電気抵抗が急激に低下することになる。したがって、水分センサ１１は、水分の存在、すなわち、出血の有無を確実に検知することができる。
【００５４】
この電気抵抗素子３１も導電性インクを用いて印刷形成され得る。電気抵抗素子３１用の導電性インクには、カーボンインクが好適に用いられる。このカーボンインクに用いられるカーボンとしては、フェノール樹脂、フルフリルアルコール、塩化ビニリデン、セルロース、木等の難黒鉛化性材料が好ましい。この導電性インクは、カーボン粉末とフェノール、エポキシ等の樹脂からなるバインダとが混練されてペースト化されて作成される。電気抵抗素子用３１の導電性インクは、上記下敷ベースシート２１の上側シート２３の表面に印刷される。図３が示すように、この電気抵抗素子２７は、上記上側シート２３上で上記電極端子３０が配置されている側の辺に相対する他方の辺の端部付近に印刷されている。この電気抵抗素子３１は、上側シート２３の幅方向全体にわたって印刷されている。電気抵抗素子３１の幅寸法は、約３ｍｍから５ｍｍに設定され得る。なお、本実施形態では、この電気抵抗素子３１の上に交差するように重ねて上記電極１９が印刷されている。
【００５５】
このようにして作成された電極シート１５の上に上記フィルターシート１６が配置される。このフィルターシート１６は、撥水性を有するとともに多数の小孔３２を備えている。フィルターシート１６は、この小孔３２からのみ水分を通過させることができる。したがって、このフィルターシート１６上の一定の範囲を濡らすために十分な量の水分（血液）が存在するときに、当該血液がフィルターシート１６の小孔３２を通過しやすい。このフィルターシート１６は、電極シート１５の有効領域の全体を覆うように配置されている。ここで、電極シート１５の有効領域とは、水分の検知が可能な領域であって、導電性を呈しない余白の端部等は、上記有効領域から除外される。
【００５６】
上記フィルターシート１６は、電極シート１５と通水性シート１７との間に単に挿入されていてもよいが、フィルターシート１６は、電極シート１５及び通水性シート１７と一体化されていることが好ましい。これにより、フィルターシート１６の取り扱いが容易となる。フィルターシート１６は、電極シート１５と通水性シート１７との間に接着剤を介して接着されていてもよい。ただし、フィルターシート１６が電極シート１５等と一体化された場合であっても、フィルターシート１６は、電極シート１５等の変形に追随できるように柔軟性を備えていることが好ましい。
【００５７】
フィルターシート１６は、例えばエチレン酢酸ビニル共重合体フィルムから構成され得る。このエチレン酢酸ビニル共重合体フィルムは、柔軟性に富むと共にベースシート１８等に加熱接着させることができる。この加熱接着は、フィルターシート１６を電極シート１５等に良好に一体化させることができる。エチレン酢酸ビニル共重合体フィルムに代えてポリテトラフルオロエチレンフィルムもフィルターシート１６の材質として採用され得る。フィルターシート１６の肉厚寸法は、薄すぎると破損しやすくなるため１０μｍ以上であることが好ましい。より好ましくは２０μｍ以上であり、さらには３０μｍ以上である。フィルターシート１６が厚すぎると柔軟性が乏しくなるため、１００μｍ以下程度であることが好ましい。この観点からフィルターシート１６の厚さは、８０μｍ以下であることがより好ましい。さらに好ましくは６０μｍ以下である。
【００５８】
フィルターシート１６に設けられた小孔３２の形状及び大きさは、一定量の水分が存在したときにこれを通過させるとの目的が達せられる限り、特に制限はない。この小孔３２は、繊維が格子状に編まれて形成された目により構成されていてもよい。多数の小孔３２は、通常、均等の間隔で分散して配置されている。小孔３２は、小さすぎると異物その他により埋まりやすくなるため、小孔３２の内径寸法は１．０ｍｍ以上であることが好ましい。より好ましくは、１．２ｍｍ以上であり、さらに好ましくは、１．５ｍｍ以上である。
【００５９】
この小孔３２が大きすぎると、フィルターシート１６は、被検知液（血液）以外の水分（汗等）を容易に通過させてしまう確率が高くなる。このため、小孔３２の内径寸法は４．０ｍｍ以下であることが好ましい。より好ましくは、小孔３２の内径寸法が３．５ｍｍ以下、さらに好ましくは３．０ｍｍ以下である。隣接する小孔３２間の間隔は、内径寸法が２．０ｍｍの小孔３２の場合に１０ｍｍ程度を標準として適宜設定される。上記小孔３２の密度は、小さすぎると血液が通過しにくく検知が遅れる。このため、フィルターシート１６の面積１００ｃｍ２あたりの小孔３１の個数は、５０個以上５００個以下程度に設定されていることが好ましい。
【００６０】
このフィルターシート１６の上に配置される通水性シート１７は、網目状、微小孔等の組織により保水性を備えつつ水分を通過させ得るうることが好ましい。この透水性及び保水性を備えた通水性シート１７は、一定量の保水が可能であるが、その保水量を超える量の水分を通過させるものである。この通水性シート１７の材質としては、例えば、ポリビニルアルコール、ポリエステル等の合成繊維又はセルロース、綿、麻、羊毛等の天然繊維が挙げられる。通水性シート１７を構成する材料としては、これらの織布又は不織布又は紙が用いられる。特に、通水性シート１７の材料としては、綿、パルプ繊維又はセルロース繊維からなる不織布がより好適に用いられる。この通水性シート１７は、被検知液体である血液に対しては、その一部を保持又は分散させるバッファー効果を発揮する。一方、患者の腕からの発汗等は、人工透析用注射針からの出血に比べて比較的広い範囲で生じるので、通水性シート１７は、この汗等の水分を保持すると同時に気体として発散させることによりフィルターシート１６に水分を送り込まないようにすることができる。
【００６１】
図５は、この水分センサ１１が用いられた水分検知装置１０の基本構成が示された配線図である。
【００６２】
この水分検知装置１０の表示部１２は、分割された抵抗回路Ｃ１、Ｃ２、Ｃ３を備えている。この水分検知装置１０では、各抵抗回路Ｃ１〜Ｃ３の出力値が比較されて、その結果に基づいて、後述されるように択一的に五種類の信号が発せられる。
【００６３】
図５において、水分センサ１１の抵抗Ｒ０は２０ｋΩに設定されている。抵抗回路Ｃ１は、電源及び抵抗ｒ１（＝２０ｋΩ）からなり、抵抗回路Ｃ２は、抵抗ｒ２（＝１００ｋΩ）と可変抵抗Ｒ１（＝１０ｋΩから２０ｋΩ）からなり、抵抗回路Ｃ３は、抵抗ｒ３（＝２０ｋΩ）及び可変抵抗Ｒ２（＝５０ｋΩから１００ｋΩ）からなる。水分検知装置１０の配線が正常に接続されている場合は、電源の電圧Ｖ０が、可変抵抗Ｒ１に作用する電圧と抵抗ｒ１に作用する電圧とに分散され、比較器Ｈ１の負の信号入力端子及び比較器Ｈ２の正の信号入力端子に入力する。水分センサ１１が未接続又は接触不良を起こしている場合には、電源の電圧Ｖ０の抵抗ｒ１による電圧降下分だけの値が比較器Ｈ１及び比較器Ｈ２に入力される。抵抗回路Ｃ２では、比較器Ｈ２の負の信号入力端子に、例えば、可変抵抗Ｒ１が２０ｋΩの場合、Ｖ０×Ｒ１／（ｒ２＋Ｒ１）＝Ｖ０／６の電圧が印加される。抵抗回路Ｃ３では、比較器Ｈ１の正の信号入力端子に、可変抵抗Ｒ２が１００ｋΩの場合、Ｖ０×Ｒ２／（ｒ３＋Ｒ２）＝Ｖ０×５／６の電圧が印加される。
【００６４】
比較器Ｈ１の出力端子には、抵抗ｒ４（＝４７０ｋΩ）、赤色発光ダイオードＬＲ１及びブザーＢＺ１を介して上記電源Ｖ０が接続されている。比較器Ｈ２の出力端子には、抵抗ｒ４（＝４７０ｋΩ）、赤色発光ダイオードＬＲ２及びブザーＢＺ２を介して上記電源が接続されている。上記電源の電圧Ｖ０は、抵抗ｒ４及び抵抗ｒ５（＝４７０ｋΩ）を介して接地されている。比較器Ｈ１及び比較器Ｈ２の出力端子は、二入力アンドゲートＡＧの各信号入力端子に入力されている。二入力アンドゲートＡＧの出力端子は、青色発光ダイオードＬＢに接続されている。
【００６５】
水分センサ１１が未接続の場合、比較器Ｈ１の出力が低レベルになる。この比較器Ｈ１の低レベルの出力が赤色ダイオードＬＲ1を発光させ、ブザーＢＺ１を鳴らす。水分センサ１１が接続された場合、比較器Ｈ１及び比較器Ｈ２の二つ出力が高レベルになる。これら二つの信号が入力される二入力アンドゲートＡＧの出力が高レベルに切り換り、青色発光ダイオードＬＢを発光させる。水分センサ１１が血液を含み、電極１９間の抵抗が数十Ωにまで低下した場合、比較器Ｈ２の出力が低レベルになり、赤色発光ダイオードＬＲ２及びブザーＢＺ２を作動させる。
【００６６】
図６は、水分センサ１１の使用状態を示す斜視図である。
【００６７】
同図が示すように、この水分センサ１１は、人工透析治療において血液の漏れを監視するために使用される。水分センサ１１は、人工透析用チューブ３３、３４の先端に設けられた注射針から血液が漏れた場合に、この血液を受け止めることができる範囲に敷かれている。この水分センサ１１は、前述のように厚みが薄くフレキシブルであるため、２本の人工透析用のチューブ３３、３４が取り付けられた患者の腕に巻き付けて締結することもできる。
【００６８】
仮に、治療中に注射針が抜けてしまう等の事故により患者の腕から出血した場合は、当該血液が水分センサ１１の通気性シート１７（図３参照）によって一旦保持される。ただし、図３が示すように、出血が一定量以上となれば、当該血液が電極シート１５を濡らし、上記電極１９ａ、１９ｂ間が導通される。この電極１９ａ、１９ｂ間の導通により、前述のように表示部１２のブザーが作動される。
【００６９】
また、透析治療が長時間にわたった場合、患者の腕が発汗し、患者の体質によって多量の汗が出ることも考えられる。しかし、患者の腕は、上記通気性シート１７上に配置され、上記フィルターシート１６が上記小孔３２を有し、さらに、電極シート１５を構成するベースシート１８が通気性を有することから、上記汗は水蒸気となって水分センサ１１を通過する。したがって、上記汗が電極シート１５に溜まることはなく、その結果、水分検知装置１０の誤作動が防止される。
【００７０】
特に、上記ベースシート１８は、主としてポリエチレンからなることに加えて、これに炭酸カルシウムが混成されることにより通気性且つ防水性が実現されているので、電極シート１５ひいては水分センサ１１の製造コストが大幅に上昇することはない。
【００７１】
＜第２の実施形態＞
【００７２】
次に、本発明の第２の実施形態について説明される。
【００７３】
図７は、本発明の第２の実施形態に係る水分センサの分解斜視図である。同図においても、同図の上方がこの水分センサが用いられる状態で被検知液（すなわち血液）が接触する側である。
【００７４】
本実施形態に係る水分センサ４０が上記第１の実施形態に係る水分センサ１１と異なるところは、上記水分センサ１１では、図３が示すように、通水性シート１７と上敷ベースシート２０との間にフィルターシート１６が別途配設されていたのに対し、本実施形態に係る水分センサ４０では、図７が示すように、通水性シート１７と上敷ベースシート２０との間に接着層４１が形成されている点である。換言すれば、この接着層４１が上記フィルターシート１６と同様の機能を有するフィルターシートを兼ねている。なお、水分センサ４０のその他の構成は、上記水分センサ１１と同様である。
【００７５】
上記接着層４１は、典型的にはウレタン樹脂からなる。ただし、接着層４１は、撥水性を有する材料であれば、他の種々の材料が採用され得る。接着層４１としてウレタン樹脂が採用されることによって、通水性シート１７と上敷ベースシート２０とが確実に接着される。この接着層４１には、多数の小孔４２が設けられている。接着層４１を構成するウレタン樹脂は撥水性を有することから、この小孔４２が設けられることによって、通水性シート１７側から浸透した血液は、直ちに上敷ベースシート２０側に移動することはできず、一定量以上の血液が存在する場合に、上記小孔４２を通って上敷ベースシート２０側に移動する。この接着層４１は、上記電極シート１５の有効領域全体をカバーするように配置される。
【００７６】
この接着層４１の小孔４２の形状及び大きさには特に制限はないが、この小孔４２は、小さすぎると異物その他のものによりが埋まりやすくなる。このため、小孔４２の内径寸法は１．０ｍｍ以上であることが好ましい。より好ましくは、１．２ｍｍ以上であり、さらに好ましくは、１．５ｍｍ以上である。また、この多数の小孔４２は、通常、均等の間隔で分散して配置されている。
【００７７】
この小孔４２が大きすぎると血液以外の水分を通過させてしまう確率が高くなる。このため、小孔４２の内径寸法は４．０ｍｍ以下であることが好ましい。より好ましくは、小孔４２の内径が３．５ｍｍ以下、さらには３．０ｍｍ以下である。隣接する小孔４２間の間隔は、内径寸法が２．０ｍｍの小孔４２の場合に１０ｍｍ程度を標準として適宜設定される。上記小孔４２の密度は、小さすぎると血液が通過しにくく検知が遅れる。このため、接着層４１の面積１００ｃｍ２あたりの小孔４２の個数は５０個以上５００個以下程度に設定されていることが好ましい。
【００７８】
図８は、上記接着層４１の形成装置を模式的に示す図である。
【００７９】
同図が示すように、この形成装置４３は、転写ローラー４４及び押圧ローラー４５を備えている。転写ローラー４４は、図示されていない所定の駆動装置によって回転軸４６の周りに回転される。転写ローラー４４は、金属又は樹脂からなり、その周面４７に多数の凹部４８が設けられている。押圧ローラー４５は、樹脂又はゴム等により構成され、転写ローラー４４の径方向に隣接して配置されている。上記上敷ベースシート２０は、これら転写ローラー４４及び押圧ローラー４５の間に送給される。転写ローラー４４と押圧ローラー４５との軸方向距離は、両者間に所定の隙間ができるように設定されており、これにより、転写ローラー４４と押圧ローラー４５との間を通過する上敷ベースシート２０は、所定の押圧力で押圧されるようになっている。
【００８０】
上記接着層４１は、上記上敷ベースシート２０にウレタン樹脂が転写されることによって形成される。具体的には、ウレタン樹脂が転写ローラー４３の周面４７に塗布される。このとき、上記凹部４８が設けられているから、周面４７のうち凹部４８に対応する部分にはウレタン樹脂は塗布されないことになる。転写ローラー４４が駆動され、転写ローラー４４と押圧ローラー４５との間に上敷ベースシート２０が送給されると、転写ローラー４４の周面に塗布されたウレタン樹脂は、上敷ベースシート２０に転写される。このとき、転写ローラー４４には上記凹部４８が設けられているから、上敷ベースシート２０の凹部４８に対応する部分にはウレタン樹脂が転写されず、当該ウレタン樹脂が転写されない部分が、上記小孔４２を構成する。このようにして、上記小孔４２を有する接着層４１は、上敷ベースシート２０上に形成される。もっとも、接着層４１は、これ以外の方法で形成され得ることは勿論である。
【００８１】
この接着層４１は、上記第１の実施形態に係るフィルターシート１６の機能に加えて通水性シート１７と上敷ベースシート２０とを接着する接着剤としての機能を兼ね備えることになる。換言すれば、通水性シート１７と上敷ベースシート２０とを接着する接着剤が、上記フィルターシート１６の機能を備えている。したがって、第１の実施形態のように、フィルターシート１６が別途構成される必要はなく、その結果、水分センサ４０の部品点数が削減され、製造コストが抑えられるという利点がある。
【００８２】
＜第３の実施形態＞
【００８３】
次に、本発明の第３の実施形態について説明される。
【００８４】
図９は、本発明の第３の実施形態に係る水分センサの分解斜視図である。
【００８５】
本実施形態に係る水分センサ５０が上記第１の実施形態に係る水分センサ１１と異なるところは、この水分センサ５０は、上記第１の実施形態に係る水分センサ１１を包む包装用袋体５１を備えている点である。なお、その他の構成については、上記第１の実施形態に係る水分センサ１１と同様である。同図が示すように、この包装用袋体５１は、シート状に形成されており、これが二つ折りにされることによって内部に上記水分センサ１１が包み込まれるようになっている。なお、この水分センサ１１は、上記電極シート１５、フィルターシート１６及び通水性シート１７とを備えていることは言うまでもない。
【００８６】
図１０は、上記包装用袋体５１の断面構造を示す模式図である。
【００８７】
同図が示すように、この包装用袋体５１は三層構造を有し、ベース５２と、ベース５２上に配置された通気性防水シート５３と、これの上に配置された不織布５４とを有する。これらベース５２、通気性防水シート５３及び不織布５４は、接着等により一体化されている。同図において上側面が上記水分センサ１１と接触する面であって、包装用袋体５１の内面を構成する。
【００８８】
上記ベース５２は、本実施形態では和紙からなる。もっとも、ベース５２を構成する材料は、通気性を有するものであれば他のものが採用され得る。通気性防水シート５３は、シート状のポリエチレンを主体として構成され、これに炭酸カルシウムが混成されている。この炭酸カルシウムの粒子が混入されることによって、シート状のポリエチレンに多数の微細孔５５が貫通形成されている。この微細孔２７の直径は、１μｍ〜１００μｍ程度に設定されている。また、上記不織布５４は、パルプ繊維が不規則に絡み合うことにより構成されており、十分な通気性及び保水性を有する。
【００８９】
したがって、気体は上記ベース５２、通気性防水シート５３及び不織布５４を通過することができるが、水滴は通過することができない。通気性防水シート５３の厚み寸法は、特に限定されるものではない。通気性防水シート５３を構成する材料は、上記ポリエチレンに代えてポリエステル、ポリプロピレン、ポリ塩化ビニル等の樹脂フィルムが用いられ得る。これらの材料が採用されることによって、通気性防水シート５３は、一定の機械的強度を備えると共に柔軟性も備えることができる。
【００９０】
前述のように、包装用袋体５１は、二つ折りにされることによって上記水分センサ１１を包み込むようになっている。図９が示すように、本実施形態では、包装用袋体５１が二つ折りにされた状態で、その周縁５６〜５８が接着されている。この接着手段としては、接着剤が例示されるが、その他の種々の接着手段が採用され得る。このように、包装用袋体５１の周縁５６〜５８が接着されることにより、上記水分センサ１１は、包装用袋体５１に密封される。
【００９１】
この包装用袋体５１は前述のように通気性を備えているから、上記水分センサ１１は、包装用袋体５１に包まれた状態で滅菌され得る。なぜなら、包装用袋体５１が通気性を備えているからである。具体的には、包装用袋体５１の外部から滅菌ガスが供給されることにより、当該滅菌ガスは包装用袋体５１を通過してその内部に進入する。これにより、上記水分センサ１１に滅菌作用を及ぼすことができる。このように、本実施形態では、通気性を備えた包装用袋体５１によって水分センサ１１が包装されるので、この水分センサ１１は、包装用袋体５１に密封包装された状態で滅菌処理が施される。これにより、滅菌された製品としての水分センサ５０の製造コストが低減されるという利点がある。
【００９２】
また、上記水分センサ１１が包装用袋体５１を備えていることから、当該水分センサ１１が使用されるとき、すなわち、人工透析治療が開始されるにあたって上記包装用袋体５１がナプキンとして機能する。図１１は、包装用袋体５１の使用要領を（ａ）から（ｃ）の順に示す図である。
【００９３】
同図（ａ）が示すように、人工透析治療が開始されるときは、包装用袋体５１に包まれた水分センサ１１が例えばベッドの上に配置される。同図（ｂ）が示すように、この包装用袋体５１は、例えばその角部５９から開封される。そして、同図（ｃ）が示すように、完全に開封された状態では、上記不織布５４が上面に露出する。このとき、水分センサ１１は、一旦包装用袋体５１から取り出される。
【００９４】
患者は、開封された包装用袋体５１の不織布５４の上にそのまま腕を載置する。人工透析用注射針が患者の腕に刺される。このとき、患者の腕から血液が漏れる可能性がある。仮にこのときに血液が漏れたとしても、上記不織布５４がこれを吸収することができるし、さらに、上記通気性防水シート５３が配置されているから、血液が包装用袋体５１から外に漏れることはない。これにより、人工透析用注射針が患者の腕に刺される際に漏れた血液によって、ベッドが汚れたり、上記水分センサ１１が破損することはない。
【００９５】
本実施形態では、上記包装用袋体５１の周縁５６〜５８は、上記水分センサ１１を内側に包み込むように接着されているだけであるから、当該周縁５６〜５８離反されることによって包装用袋体５１が簡単に展開される。したがって、人工透析治療が開始されるにあたって包装用袋体５１が簡単且つ迅速に開封され得るという利点がある。
【００９６】
なお、本実施形態では、包装用袋体５１に上記第１の実施形態に係る水分センサ１１が包まれているが、これに変えて上記第２の実施形態に係る水分センサ４０が包まれていてもよいことは勿論である。
【産業上の利用可能性】
【００９７】
本発明は、人工透析治療における血液の漏れを検知する水分センサに適用され得る。
【図面の簡単な説明】
【００９８】
【図１】図１は、本発明の第１の実施形態に係る水分検知装置の斜視図である。
【図２】図２は、図１におけるII−II断面図でる。
【図３】図３は、本発明の第１の実施形態に係る水分センサの分解斜視図である。
【図４】図４は、本発明の第１の実施形態に係る水分センサに採用されている補強シートの断面構造を示す模式図である。
【図５】図５は、本発明の第１の実施形態に係る水分センサが用いられた水分検知装置の基本構成が示された配線図である。
【図６】図６は、本発明の第１の実施形態に係る水分センサの使用状態を示す斜視図である。
【図７】図７は、本発明の第２の実施形態に係る水分センサの分解斜視図である。
【図８】図８は、本発明の第２の実施形態に係る水分センサに採用されている接着層の形成装置を模式的に示す図である。
【図９】図９は、本発明の第３の実施形態に係る水分センサの分解斜視図である。
【図１０】図１０は、本発明の第３の実施形態に係る包装用袋体の断面構造を示す模式図である。
【図１１】図１１は、本発明の第３の実施形態に係る包装用袋体の使用要領を（ａ）から（ｃ）の順に示す図である。
【図１２】図１２は、人工透析治療に使用される従来の水分検知装置が示された概念図である。
【図１３】図１３は、従来の水分検知装置の検知部である水分センサの部分拡大断面図である。
【符号の説明】
【００９９】
１１・・・水分センサ
１５・・・電極シート
１６・・・フィルターシート
１７・・・通水性シート
１８・・・ベースシート
１９・・・電極
２０・・・上敷ベースシート
２１・・・下敷ベースシート
２２・・・補強シート
２３・・・上側シート
２４・・・下側シート
２５・・・基布
２６・・・不織布
２７・・・微細孔
２８・・・水溶性接着剤
２９・・・導電性インク
３０・・・電極端子
３１・・・電気抵抗素子
３２・・・小孔
４０・・・水分センサ
４１・・・接着層
４２・・・小孔
５０・・・水分センサ
５１・・・包装用袋体
５２・・・ベース
５３・・・通気性防水シート
５４・・・不織布
５５・・・微細孔
５６〜５８・・・周縁  
【図１】
2007151624.tif 000003
【図２】
2007151624.tif 000004
【図３】
2007151624.tif 000005
【図４】
2007151624.tif 000006
【図５】
2007151624.tif 000007
【図６】
2007151624.tif 000008
【図７】
2007151624.tif 000009
【図８】
2007151624.tif 000010
【図９】
2007151624.tif 000011
【図１０】
2007151624.tif 000012
【図１１】
2007151624.tif 000013
【図１２】
2007151624.tif 000014
【図１３】
2007151624.tif 000015